(57)【特許請求の範囲】
【請求項１】
筐体と、
該筐体の外面に配設され、外部から入射される光に基づいて光電変換により発電を行う発電部と、
前記発電部により発電された電力を充電可能であるとともに、充電されている電力を自端末の駆動に供給可能な二次電池と、
前記発電部から出力される電流または電圧を検出する第１検出部と、
前記発電部により発電された電力の供給を制御する制御部と、を備える携帯端末装置において、
前記制御部は、
前記検出された電流または電圧が所定の閾値以上である場合は、前記発電部により発電された電力を前記二次電池に充電するように制御し、前記検出された電流または電圧が所定の閾値未満である場合は、前記発電部により発電された電力を前記二次電池に充電せずに、自端末の駆動に充てるように制御する携帯端末装置。
【請求項２】
前記二次電池の温度を検出する第２検出部をさらに備え、
前記制御部は、前記検出された温度が所定の閾値以上の場合は、前記二次電池への充電を停止して、自端末の駆動に充てるように制御する請求項１記載の携帯端末装置。
【発明の詳細な説明】
【技術分野】
【０００１】
本発明は、太陽電池モジュール及び二次電池を搭載した携帯端末装置に関する。
【背景技術】
【０００２】
従来より、光を受けて発電を行う太陽電池モジュールを備えた携帯電話機が知られている。この太陽電池モジュールを備えた携帯電話機においては、太陽電池モジュールにより発電された電力を携帯電話機の駆動源である二次電池に充電する。
また、太陽電池モジュール及び二次電池を備えた携帯電話機としては、例えば、特許文献１に記載のものが知られている。この特許文献１に記載の携帯電話機においては、太陽電池モジュールは筐体の外部に露出する位置に太陽電池モジュールが配置される。
また、太陽電池モジュールを備えた携帯電話機においては、太陽光を太陽電池モジュールに当てることで、太陽電池モジュールでの発電を良好に行うことができる。
【先行技術文献】
【特許文献】
【０００３】
【特許文献１】特開２００９−１０９４５号公報
【発明の概要】
【発明が解決しようとする課題】
【０００４】
しかし、特許文献１に記載されるような携帯電話機においては、太陽電池モジュールが筐体の外部に配置されているために、太陽光に太陽電池モジュールが当たる場合には、太陽電池モジュールが配置される筐体その他の携帯電話機の他の機器も太陽光に晒されることになり、携帯電話機自体が高温になる。
【０００５】
このような高温の状態において、例えば、太陽電池モジュールから発電された電力を二次電池に供給した場合には、二次電池も高温状態にあるために、二次電池の性能が低下してしまうおそれがあった。
上述した問題を避けるために、太陽電池モジュールでの発電を停止することが考えられるが、太陽電池モジュールにおいては好適な発電条件の下で発電の機会を逸するという問題も生じる。
【０００６】
本発明は、二次電池の性能の低下を抑制するとともに、発電した電力を有効に活用する携帯端末装置を提供することを目的とする。
【課題を解決するための手段】
【０００７】
本発明に係る携帯端末装置は、上記課題を解決するために、筐体と、該筐体の外面に配設され、外部から入射される光に基づいて光電変換により発電を行う発電部と、前記発電部により発電された電力を充電可能であるとともに、該電力を自端末の駆動に供給可能な二次電池と、を備える携帯端末装置において、前記発電部から出力される電流または電圧を検出する第１検出部と、前記二次電池の温度を検出する第２検出部と、前記第１検出部および前記第２検出部の検出結果に基づき、前記二次電池の前記充電可能な状態を判定する判定部と、前記発電部により発電された電力の供給を制御する制御部と、前記制御部は、前記判定部により前記二次電池が充電可能な状態であると判定した場合には、前記二次電池への充電を行うように前記発電部により発電された電力の供給を制御し、前記判定部により前記二次電池が充電可能な状態でないと判定した場合には、前記二次電池への充電を抑制するとともに、自端末の駆動を行うように前記発電部により発電された電力の供給を制御する。
【０００８】
また、携帯端末装置では、前記判定部は、第２検出部の検出結果にさらに、ユーザの操作または使用の状況から予想される温度の上昇を加味して、前記二次電池の前記充電可能な状態を判定することが好ましい。
【０００９】
また、携帯端末装置では、ユーザの操作または使用の状況に応じて、前記発電部により発電された電力の供給を制御するモードを設定するモード設定部を備え、前記制御部は、前記モード設定部において設定されたモードに応じて、前記発電部により発電された電力の供給を制御することが好ましい。
【００１０】
また、携帯端末装置では、前記モード設定部は、前記第１検出部により検出される検出結果が所定の閾値以上であり、かつ、ユーザの操作または使用がされている状態において、前記第２検出部により検出される検出結果が所定の閾値未満である場合には、前記発電部により発電された電力を自端末の駆動を行うように前記発電部により発電された電力の供給を行うように前記制御部により制御するモードを有することが好ましい。
【００１１】
また、携帯端末装置では、前記モード設定部は、前記第１検出部により検出される検出結果が所定の閾値以上であり、かつ、ユーザの操作または使用がされていない状態において、前記第２検出部により検出される検出結果が所定の閾値未満である場合には、前記発電部により発電された電力を自端末の駆動を行うように前記発電部により発電された電力の供給を行うように前記制御部により制御するモードを有することが好ましい。
【００１２】
また、携帯端末装置では、前記モード設定部は、前記第１検出部により検出される検出結果が所定の閾値以上であり、かつ、ユーザの操作または使用がされている状態において、前記第２検出部により検出される検出結果が所定の閾値以上である場合には、前記発電部により発電された電力を前記二次電池への供給を行うように前記制御部により制御するモードを有することが好ましい。
【発明の効果】
【００１３】
本発明によれば、二次電池の性能の低下を抑制するとともに、発電した電力を有効に活用することができる。
【図面の簡単な説明】
【００１４】
【図１】本発明の一実施形態の携帯電話機の外観を示す図である。
【図２】二次電池の温度特性を示す図である。
【図３】本実施形態の携帯電話機の基本的構成を示すブロック図である。
【図４】本実施形態の携帯電話機における太陽電池モジュールから発電された電力の供給に係る機能的構成を示す機能ブロック図である。
【図５】本実施形態に係る携帯電話機において、携帯電話機の使用状態の違いにおける図６での動作の違いを示すフローチャートである。
【図６】本実施形態の携帯電話機における太陽電池モジュールから発電された電力の供給に係る動作を示すフローチャートである。
【発明を実施するための形態】
【００１５】
以下、本発明の好適な実施形態の一例について説明する。なお、本実施形態では、携帯端末装置の具体例として携帯電話機１を想定して説明するが、これに限られず、例えば、携帯電話機１とは使用周波数帯や変調方式等が異なるＰＨＳ（Ｐｅｒｓｏｎａｌ  Ｈａｎｄｙ  ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｔ）等の様々な携帯端末装置に適用可能である。
【００１６】
図１は、本発明の一実施形態の携帯電話機１の外観を示す図である。
携帯電話機１は、図１（ａ）に示すように、表示部側筐体２Ａと操作部側筐体２Ｂの２つの筐体２からなり、図示しないヒンジ部を介して互いに回動可能な折り畳み式の携帯電話機１である。この携帯電話機１は、使用時には、図１（ａ）に示すような展開状態にし、不使用時には、図１（ｂ）に示すような折り畳み状態にして使用される。なお、本実施形態において、携帯電話機１は、折り畳み式の携帯電話機として説明するがこれに限られず、例えば、ストレート式の携帯電話機として構成することも可能である。
【００１７】
表示部側筐体２Ａは、折り畳み状態で非露出状態となる側（内側）に表示部（図１においては図示せず）と、折り畳み状態においても露出状態となる内側の反対側（外側）に太陽電池モジュール１１（発電部）と備えている。
【００１８】
このような携帯電話機１は、表示部と同一面側（内側）に操作部（図１においては図示せず）と、下端部分にＡＣアダプタと接続するコネクタ部（図示せず）と、内部に電池パック１２（二次電池）とを備える。
【００１９】
電池パック１２は、ＡＣアダプタから供給される電力及び太陽電池モジュール１１により発電された電力により充電可能な二次電池として構成される。
【００２０】
また、携帯電話機１は、図１（ｂ）に示す折り畳み状態にして、太陽電池モジュール１１を上方に向けえて設置させることで、太陽光からの光を太陽電池モジュール１１に入射させて、この入射する光を利用して発電を行う。
また、携帯電話機１は、太陽電池モジュール１１により発電した電力を、電池パック１２への充電用の電力及び自機を駆動するための電力として利用可能に構成される。電池パック１２への充電用の電力及び自機を駆動するための電力として利用するための構成については、後述する。
【００２１】
二次電池として構成される電池パック１２は、次のような温度特性を有する。図２は、二次電池の温度特性を示す図である。詳細には、図２（ａ）は、電圧における特性を示す図であり、図２（ｂ）は、電流における特性を示す図である。なお、図中において、縦軸は、充電電圧（充電電流）を示し、横軸は二次電池の温度を示す。
二次電池は、温度域によって、特性が異なる。温度域は、例えば、低温度域となる第１の温度域（第１温度（０℃）から第２温度（１０℃））、標準温度域となる第２の温度域（第２温度（１０℃）から第３温度（４５℃））、高温度域となる第３の温度域（第３温度（４５℃）から第４温度（６０℃））に分かれる。
標準温度域は、安定して充電が行える温度域である。
また、高温度域は、標準温度域と同じ上限電圧または最大電流で充電を行うと、安定性の低下が懸念される温度域で、充電の条件を高温用の充電の条件に変更する必要がある。
また、二次電池は、高温度域を超えた温度では、充電を停止させる必要があるとされている（例えば、ＣＩＡＪ(Ｃｏｍｍｕｎｉｃａｔｉｏｎｓ  Ｉｎｄｕｓｔｒｉｅｓ  Ａｓｓｏｃｉａｔｉｏｎ  ｏｆ  Ｊａｐａｎ）勧告）。
【００２２】
このような特性を有する電池パック１２を搭載し、さらに太陽電池モジュール１１を備えた携帯電話機１は、通常の携帯電話機１に比べて、太陽光に晒される機会が多く、高温になる頻度が高い。したがって、本携帯電話機１においては、上述した二次電池の特性を考慮して、高温状態においては、積極的に、二次電池の充電を行わないように構成される。
【００２３】
このように構成される携帯電話機１は、電池パック１２が高温状態になった場合に、太陽電池モジュール１１からの電力の供給を抑えて、電池パック１２の劣化を低減するとともに、太陽電池モジュール１１からの電力を、自機を駆動するための電力に切り替える機能を備える。
【００２４】
この携帯電話機１においては、電池パック１２が高温状態になった場合に、太陽電池モジュール１１からの電力の供給を抑えて、電池パック１２の劣化を低減するとともに、太陽電池モジュール１１からの電力を、システム部１３１（自機）を駆動するための電力に切り替えることができる。
【００２５】
携帯電話機１は、表示部側筐体２Ａ（筐体）と、太陽電池モジュール１１（発電部）と、電池パック１２（二次電池）と、電圧電流検出回路２１（第１検出部）と、温度センサ２４（第２検出部）と、ＣＰＵ１３（判定部、制御部）とを備える。
太陽電池モジュール１１は、表示部側筐体２Ａの外面に配設され、外部から入射される光に基づいて光電変換により発電を行う。
電池パック１２は、太陽電池モジュール１１により発電された電力を充電可能であるとともに、この電力を自端末の駆動に供給可能に構成される。
電圧電流検出回路２１は、発電部から出力される電流または電圧を検出する。
温度センサ２４は、電池パック１２の温度を検出する。
ＣＰＵ１３は、電圧電流検出回路２１および温度センサ２４の検出結果に基づき、電池パック１２の充電可能な状態を判定する。
また、ＣＰＵ１３は、太陽電池モジュール１１により発電された電力の供給を制御する。また、ＣＰＵ１３は、電池パック１２が充電可能な状態であると判定した場合には、電池パック１２への充電を行うように太陽電池モジュール１１により発電された電力の供給を制御し、電池パック１２が充電可能な状態でないと判定した場合には、電池パック１２への充電を抑制するとともに、システム部１３１（自端末）の駆動を行うように太陽電池モジュール１１により発電された電力の供給を制御する。
【００２６】
このように携帯電話機１を構成することにより、ＣＰＵ１３は、電池パック１２が充電可能な状態であると判定した場合には、電池パック１２への充電を行うように太陽電池モジュール１１により発電された電力の供給を制御することで、通常の状態においては、電池パック１２への充電を行う。
一方、ＣＰＵ１３は、電池パック１２が充電可能な状態でないと判定した場合には、電池パック１２への充電を抑制するとともに、自端末の駆動を行うように制御することで、例えば、太陽電池モジュール１１での発電のために、太陽光に晒されて、電池パック１２が高温になっている状態においては、電池パック１２の性能の低下を抑制するために、電池パック１２への充電は行わず、発電された電力をシステム部１３１（自機）の駆動する電力に充てるように動作する。
したがって、携帯電話機１においては、電池パック１２の性能の低下を抑制するとともに、発電した電力を効率的に利用することができる。
【００２７】
また、ＣＰＵ１３は、温度センサ２４の検出結果にさらに、ユーザの操作または使用の状況から予想される温度の上昇を加味して、電池パック１２の充電可能な状態を判定する。
したがって、携帯電話機１においては、温度の上昇が起こりうるユーザの操作や携帯電話機１の使用の状態（例えば、ネットワークとの通信中の状態）から電池パック１２の電池の上昇を加味して、電池パック１２への充電の判断を行うために、さらに、高温状態での電池パック１２への充電を回避することができるため、電池パック１２の性能の低下を抑制することができる。
【００２８】
また、携帯電話機１では、ＣＰＵ１３（モード設定部）が、ユーザの操作または使用の状況に応じて、太陽電池モジュール１１により発電された電力の供給を制御するモードを設定する。また、ＣＰＵ１３は、設定されたモードに応じて、太陽電池モジュール１１により発電された電力の供給を制御する。
したがって、携帯電話機１においては、ユーザが本機能を使用するか否かを設定することができるため、携帯電話機１の使用の自由度を高めることができる。
【００２９】
ＣＰＵ１３は、電圧電流検出回路２１により検出される検出結果が所定の閾値以上であり、かつ、ユーザの操作または使用がされている状態において、温度センサ２４により検出される検出結果が所定の閾値未満である場合には、太陽電池モジュール１１により発電された電力を自端末の駆動に充てるように太陽電池モジュール１１により発電された電力の供給を行うモードを有する。
したがって、携帯電話機１においては、例えば、太陽電池モジュール１１で発電された電力が電池パック１２での充電に足る電力であり、その時に携帯電話機１が使用されているとき電池パック１２の温度が高温でない場合には、システム部１３１（自機）の駆動の電力に充てるため、電池パック１２の電池の消耗や劣化を抑えることできる。
【００３０】
ＣＰＵ１３は、電圧電流検出回路２１により検出される検出結果が所定の閾値以上であり、かつ、ユーザの操作または使用がされていない状態において、温度センサ２４により検出される検出結果が所定の閾値未満である場合には、太陽電池モジュール１１により発電された電力を自端末の駆動を行うように太陽電池モジュール１１により発電された電力の供給を行うように制御するモードを有する。
【００３１】
したがって、携帯電話機１においては、例えば、太陽電池モジュール１１で発電された電力が電池パック１２での充電に足る電力であり、携帯電話機１が不使用状態である場合において、電池パック１２の温度が高温でない場合には、電池パック１２への劣化が少なく、電池パック１２への負担が少ない状況で電池パック１２の充電を行うことができる。
【００３２】
次に、携帯電話機の具体的な構成の詳細について説明する。
図３は、携帯電話機１の基本的構成を示すブロック図である。
本実施形態の携帯電話機１は、図３に示すように、基本的構成として、さらに、ＣＰＵ１３（Ｃｅｎｔｒａｌ  Ｐｒｏｃｅｓｓｉｎｇ  Ｕｎｉｔ、制御部、判定部）と、記憶部１４と、操作部１５と、表示部１６と、マイク１７と、スピーカ１８と、通信部１９と、を備える。
【００３３】
ＣＰＵ１３は、プログラムによって様々な数値計算や情報処理、機器制御等を行う中央演算処理装置であり、例えば、太陽電池モジュール１１の発電管理や電池パック１２の充電管理に係る各種部位を制御する。
記憶部１４は、例えば、後述する設定等の各種データを記憶する。
操作部１５は、ユーザによる各種操作を入力する。携帯電話機１１では、操作部１５へのこの入力操作を受けて、ＣＰＵ１３１５等による制御が行われる。
表示部１６は、例えば、ＬＣＤ（Ｌｉｑｕｉｄ  Ｃｒｙｓｔａｌ  Ｄｉｓｐｌａｙ）等のディスプレイとして構成され、受信したワンセグ放送を表示したり、着信の表示を行ったりするように構成される。
マイク１７は、通話時のユーザからの音声等を入力する。
スピーカ１８は、通話時の通信先からの音声等を出力する。
通信部１９は、通話やデータ通信に係る信号を送受信する。
このように構成される携帯電話機は、少なくとも、電池パック１２から供給される電力により駆動されて、通話やデータ通信を行うことができる。
【００３４】
次に、本実施形態の携帯電話機１における太陽電池モジュール１１から発電された電力の供給に係る機能的構成について説明する。図４は、本実施形態の携帯電話機１における太陽電池モジュール１１から発電された電力の供給に係る機能的構成を示す機能ブロック図である。
【００３５】
携帯電話機１は、図４に示すように、上述した基本的構成に加えて、電圧電流検出回路２１（第１検出部）と、ＬＤＯ（Ｌｏｗ  Ｄｒｏｐ  Ｏｕｔ）回路２２と、充電回路２３と、第１から第４スイッチ部ＳＷ１、ＳＷ２、ＳＷ３、ＳＷ４と、温度センサ２４（第２検出部）と、ＣＰＵ１３においてシステム部１３１及びスイッチ制御部１３２と、を備える。
【００３６】
電圧電流検出回路２１は、太陽電池モジュール１１により発電された電力の電圧値及び電流値の検出を行う。この電圧電流検出回路２１は、太陽電池モジュール１１と、第１スイッチ部ＳＷ１に接続される。
【００３７】
第１スイッチ部ＳＷ１は、太陽電池モジュール１１と、ＬＤＯ回路２２及び充電回路２３とに接続される。この第１スイッチ部ＳＷ１は、スイッチ制御部１３２により、太陽電池モジュール１１と、ＬＤＯ回路２２及び充電回路２３との接続状態を切り替えるスイッチである。すなわち、第１スイッチ部ＳＷ１では、太陽電池モジュール１１とＬＤＯ回路２２との接続と、太陽電池モジュール１１とＬＤＯ回路２２との接続とを切り替える。
【００３８】
ＬＤＯ回路２２は、第１スイッチ部ＳＷ１と、第２スイッチ部ＳＷ２とに接続される。このＬＤＯ回路２２は、入力電圧が所望の出力電圧をわずかに超える程度の時にも動作するリニア電圧レギュレータであり、太陽電池モジュール１１により発電された電力を定電圧電力として使用可能する。システム部１３１は、このＬＤＯ回路２２によって、供給される電力により、駆動することができる。
【００３９】
第２スイッチ部ＳＷ２は、ＬＤＯ回路２２とシステム部１３１に接続する。この第２スイッチ部ＳＷ２は、スイッチ制御部１３２により、ＬＤＯ回路２２とシステム部１３１との接続状態を切り替えるスイッチである。
【００４０】
充電回路２３は、第２スイッチ部ＳＷ２と、第３スイッチ部ＳＷ３とに接続される。この充電回路２３は、電池パック１２での充電を制御する。
【００４１】
第３スイッチ部ＳＷ３は、充電回路２３とシステム部１３１と第４スイッチ部ＳＷ４に接続する。この第３スイッチ部ＳＷ３は、スイッチ制御部１３２により、充電回路２３とシステム部１３１との接続状態を切り替えるスイッチである。
【００４２】
第４スイッチ部ＳＷ４は、第３スイッチ部ＳＷ３と電池パック１２に接続する。この第４スイッチ部ＳＷ４は、スイッチ制御部１３２により、第３スイッチ部ＳＷ３と電池パック１２との接続状態を切り替えるスイッチである。
【００４３】
温度センサ２４は、電池パック１２の温度を検出可能なセンサである。
【００４４】
ＣＰＵ１３は、システム部１３１と、スイッチ制御部１３２とを有する。
システム部１３１は、ＣＰＵ１３で構成され、アプリの制御等の自機の駆動を行う。また、システム部１３１は、電池パック１２に加えて、ＬＤＯ回路２２からの電力供給を受けて駆動する。
スイッチ制御部１３２は、第１から第４スイッチ部ＳＷ４の切り替えを制御する。
【００４５】
このように構成される携帯電話機１は、第１スイッチ部ＳＷ１がＬＤＯ回路２２に接続するように切り替えられ、第２スイッチ部ＳＷ２がＬＤＯ回路２２とシステム部１３１とが接続状態になるように切り替えられる。これにより、携帯電話機１においては、太陽電池モジュール１１により発電された電力をシステム部１３１に供給する。なお、この場合、第３スイッチ部ＳＷ３と、第４スイッチ部ＳＷ４は非接続状態となるように切り替えられる。
このように、電力の供給を受けたシステム部１３１は、駆動し、電力を他の機能を利用するための電力として利用させるように動作する。
【００４６】
また、携帯電話機１は、第１スイッチ部ＳＷ１が充電回路２３に接続するように切り替えられ、第３スイッチ部ＳＷ３が充電回路２３と第４スイッチ部ＳＷ４とが接続状態になるように切り替えられる。これにより、携帯電話機１においては、太陽電池モジュール１１により発電された電力を電池パック１２に供給する。なお、この場合、第３スイッチ部ＳＷ３と、第４スイッチ部ＳＷ４は非接続状態となるように切り替えられる。
このように、電力の供給を受けた電池パック１２は、充電を行う。
【００４７】
以上のように構成される携帯電話機１は、電圧電流検出回路２１での検出結果及び使用状況により、各スイッチ部の切り替えが異なるように動作する。
次に、本実施形態の電圧電流検出回路２１での検出結果及び使用状況による動作の違いについて、図５及び図６を用いて説明する。図５は、本携帯電話機１の使用状態の違いにおける図６での動作の違いを示すフローチャートである。図６は、本実施形態に係る携帯電話機１の動作を示すフローチャートである。
【００４８】
ステップＳＴ１において、ＣＰＵ１３は、状態の確認を行う。具体的には、ＣＰＵ１３は、現在ユーザの操作等によって動作しているか否かの確認が行われる。ユーザの操作等によって、動作させられていない（ユーザ非動作時）場合には、ステップＳＴ３に進む。ユーザの操作等によって、動作させられている（ユーザ動作時）場合には、ステップＳＴ４に進む。
【００４９】
ステップＳＴ２において、ＣＰＵ１３は、図６に示す動作において、Ａルートを許可するとともに、高温充電の場合には第４スイッチをオンするように、携帯電話機１を動作させる。なお、高温充電の場合には電池パック１２の性能の低下を考慮して第４スイッチ部ＳＷ４をオフするように構成してもよい。
【００５０】
ステップＳＴ３において、ＣＰＵ１３は、図６に示す動作において、Ａルート及びＢルートを許可するように、携帯電話機１を動作させる。
【００５１】
次に、携帯電話機１の電力供給に係る動作について、図６を用いて説明する。
本動作は、図５に示す条件に基づいて、動作する。
以下、まず、ユーザ非動作時（図５のステップＳＴ２の条件）について説明し、次に、ユーザ動作時（図５のステップＳＴ３の条件）について説明する。
【００５２】
携帯電話機１においては、図５に示すユーザ非動作時の状態であるために、図６に示すＡルートが許可されている。
ステップＳＴ１０において、太陽電池モジュール１１は、太陽電池出力を行う。具体的には、太陽電池モジュール１１は、発電した電力を出力する。
【００５３】
ステップＳＴ１１において、電圧電流検出回路２１は、電圧電流の確認を行う。具体的には、電圧電流検出回路２１は、太陽電池モジュール１１により発電された電力の電圧値と電流値の検出を行う。
【００５４】
ステップＳＴ１２において、ＣＰＵ１３は、検出値が閾値以上であるか否かの判定を行う。具体的には、ＣＰＵ１３は、電圧電流検出回路２１により検出された検出値が充電用の電力として使用可能か否かの判定と、システム部１３１（自機）の駆動用の電力として使用可能か否かの判定を行う。
電圧電流検出回路２１により検出された検出値が充電用の電力として使用可能であり、システム部１３１（自機）の駆動用の電力として使用可能である場合には、図５のステップＳＴ２で許可されたＡルートであるステップＳＴ１３に進む。
電圧電流検出回路２１により検出された検出値が充電用の電力として使用不可であり、自機の駆動用の電力として使用可能である場合、及び電圧電流検出回路２１により検出された検出値が充電用の電力として使用不可であり、システム部１３１（自機）の駆動用の電力として使用不可である場合には、Ｃルートに進み、処理はステップＳＴ１１に戻る。
【００５５】
ステップＳＴ１３において、スイッチ制御部１３２は、第１スイッチ部ＳＷ１を充電回路２３側にし、第２スイッチ部ＳＷ２をオフにし、第３スイッチ部ＳＷ３をオンにし、第４スイッチ部ＳＷ４をオンにする。このように携帯電話機１においては、各スイッチ部を切り替えることにより、太陽電池モジュール１１により発電した電力を電池パック１２の充電に充てることができる状態となる。
【００５６】
ステップＳＴ１４において、温度センサ２４は、電池パック１２の温度の確認を行う。
【００５７】
ステップＳＴ１５において、ＣＰＵ１３は、温度が閾値以上であるか否かの判定を行う。具体的には、ＣＰＵ１３は、ステップＳＴ１４において温度センサ２４により検出された温度が、高温であるか常温であるか否かの判定を行う。高温であるか常温であるか否かの判定は、検出された温度が予め決定されている閾値以上であるか否かで行い、閾値以上である場合には、高温と判定され、閾値か、閾値以下である場合には、常温と判定される。
高温であると判定された場合には、ステップＳＴ１６に進み、常温であると判定された場合には、ステップＳＴ１７に進む。
【００５８】
ステップＳＴ１６において、スイッチ制御部１３２は、第４スイッチ部ＳＷ４をオフする。しかし、本ステップＳＴ１６においては、図５のステップＳＴ２の条件に基づくため、高温充電で第４スイッチ部ＳＷ４をオンし、電池パック１２への充電を行う。携帯電話機１においては、ユーザの非動作時では携帯電話機１の各部位が動作しておらず、携帯電話機１の動作に起因して電池パック１２がさらに高温とならない。このために、ユーザの非動作時の場合には、高温状態と判定された場合にも充電を行うよう動作させる。なお、本ステップＳＴ１６においては、電池パック１２の性能の低下を考慮して、スイッチ制御部１３２は、第４スイッチ部ＳＷ４をオフするように構成してもよい。その後、処理は、ステップＳＴ１１に戻る。なお、この際、単に第４スイッチ部ＳＷ４をオフするだけでなく、第１スイッチ部ＳＷ１をＬＤＯ回路２２側に切り替えて、第２スイッチ部ＳＷ２をオンし、第３スイッチ部ＳＷ３をオフして、定電圧電池として自機を駆動する電力の供給を行うように構成してもよい。
【００５９】
ステップＳＴ１７において、スイッチ制御部１３２は、第４スイッチ部ＳＷ４をオンする。実際には、スイッチ制御部１３２は、第４スイッチ部ＳＷ４の切り替え状態を維持する。その後、処理は、ステップＳＴ１１に戻る。
【００６０】
以上、ユーザ非動作時（図５のステップＳＴ２の条件）について説明した。次に、ユーザ動作時（図５のステップＳＴ３の条件）について説明する。
【００６１】
携帯電話機１においては、図５に示すユーザ動作時の状態であるために、図６に示すＡルート及びＢルートが許可されている。
ステップＳＴ１０において、太陽電池モジュール１１は、太陽電池出力を行う。具体的には、太陽電池モジュール１１は、発電した電力を出力する。
【００６２】
ステップＳＴ１１において、電圧電流検出回路２１は、電圧電流の確認を行う。具体的には、電圧電流検出回路２１は、太陽電池モジュール１１により発電された電力の電圧値と電流値の検出を行う。
【００６３】
ステップＳＴ１２において、ＣＰＵ１３は、検出値が閾値以上であるか否かの判定を行う。具体的には、ＣＰＵ１３は、電圧電流検出回路２１により検出された検出値が充電用の電力として使用可能か否かの判定と、システム部１３１（自機）の駆動用の電力として使用可能か否かの判定を行う。
電圧電流検出回路２１により検出された検出値が充電用の電力として使用可能であり、システム部１３１（自機）の駆動用の電力として使用可能である場合には、図５のステップＳＴ３で許可されたＡルートに進む。なお、Ａルートの処理については、上述しているため、説明を省略する。
電圧電流検出回路２１により検出された検出値が充電用の電力として使用不可であり、システム部１３１（自機）の駆動用の電力として使用可能である場合には、Ｂルートに進み、処理はステップＳＴ１８に進む。
電圧電流検出回路２１により検出された検出値が充電用の電力として使用不可であり、システム部１３１（自機）の駆動用の電力として使用不可である場合には、Ｃルートに進み、処理はステップＳＴ１１に戻る。
【００６４】
ステップＳＴ１８において、スイッチ制御部１３２は、第１スイッチ部ＳＷ１をＬＤＯ回路２２側にし、第２スイッチ部ＳＷ２をオフにし、第３スイッチ部ＳＷ３をオフにし、第４スイッチ部ＳＷ４をオンにする。このように各スイッチ部を切り替えることにより、携帯電話機１においては、太陽電池モジュール１１により発電した電力を定電圧電池として使用する、すなわち、自機を駆動する電力に充てることができる状態となる。
【００６５】
ステップＳＴ１９において、ＣＰＵ１３は、定電圧電池として使用する。すなわち、ＣＰＵ１３は、太陽電池モジュール１１により発電した電力をシステム部１３１（自機）の駆動を行う電力に使用する。その後、処理はステップＳＴ１１に戻る。
【００６６】
したがって、携帯電話機においては、電池パックの性能の低下を抑制するとともに、発電した電力を有効に活用することができる。
【００６７】
なお、本発明は、上述の実施形態に限定されるものではなく、本発明の目的を達成できる範囲での変形、改良等は本発明に含まれるものである。
【００６８】
また、上述の実施形態では、本発明は、携帯電話機１を例として説明したが、特にこれに限定されない。本発明は、太陽電池モジュール及び二次電池を備える携帯端末装置一般に適用することができる。
【符号の説明】
【００６９】
１Ａ    操作部側筐体（筐体）
１１    太陽電池モジュール（発電部）
１２    電池パック（二次電池）
１３    ＣＰＵ（制御部、判定部、モード設定部）
２１    電圧電流検出回路（第１検出部）
２２    温度センサ（第２検出部）
１００  携帯電話機（携帯端末装置）
【図１】
0005876217.tif 000002
【図２】
0005876217.tif 000003
【図３】
0005876217.tif 000004
【図４】
0005876217.tif 000005
【図５】
0005876217.tif 000006
【図６】
0005876217.tif 000007